(57)【要約】【課題】美観を損なうことのない構成で、筐体に設けられた差込口に電源コードのプラグを容易に差し込んで取り付けることができる電気機器及び表示装置を提供する。【解決手段】周面２２及び内奥面２３を有し、表示装置の筐体１の後面に凹陥する凹所２０を形成する。凹所２０内には接続端子収容部３０を設け、内奥面２３に垂直な接続端子収容部３０の垂直面３２に差込口１０と、この周囲に突出する突起部３３とを形成する。また、凹所２０の周面２２を開口２１から徐々に狭まるようにテーパ状に形成する。【選択図】図２
2008130616.tif 000002
【特許請求の範囲】
【請求項１】
筐体と、該筐体に凹陥して形成された凹所と、該凹所の凹陥方向に交差する方向に前記凹所内に形成してあり、電源コードの一端に設けられた端子部を差し込む差込口とを備える電気機器において、
前記差込口の周囲に設けられた突起部を備えること
を特徴とする電気機器。
【請求項２】
前記凹所は、内奥面と、該内奥面を囲む周面とを有し、
該周面は、前記筐体の外側から内側へ向けて狭まるテーパ状にしてある請求項１に記載の電気機器。
【請求項３】
前記凹所は、内奥面と、該内奥面を囲む周面とを有し、
前記内奥面は、前記差込口へ向けて、前記筐体の外側から内側に傾斜する傾斜面にしてある請求項１又は請求項２に記載の電気機器。
【請求項４】
前記凹所は、該凹所の凹陥方向に交差する方向に関して、前記差込口へ向けて狭まる形状にしてある請求項１乃至請求項３のいずれか１つに記載の電気機器。
【請求項５】
前面に表示面が設けられる筐体と、該筐体の後面に凹陥して形成された凹所と、該凹所の凹陥方向に交差する方向に前記凹所内に形成してあり、電源コードの一端に設けられた端子部を差し込む差込口とを備える表示装置において、
前記差込口の周囲に設けられた突起部を備えること
を特徴とする表示装置。
【発明の詳細な説明】
【技術分野】
【０００１】
本発明は、電力を供給するための電源コードを差込口に差し込んで取り付ける構成の電気機器及び表示装置に関する。
【背景技術】
【０００２】
従来、液晶表示装置などの電気機器は、家屋の壁面などに設けられた電源供給口、所謂コンセントからの電力を取得するための電源コードを備えている。電源コードは電気機器から取り外し可能である場合と不可能である場合とがあり、電源コードが取り外し可能な場合には、電源コードの一端（コンセントに差し込む側の反対端）に設けられたプラグを差し込むための差込口が電気機器の筐体には形成され、差込口から筐体内にプラグを差し込んで筐体内に設けられた接続端子に接続するようにしてある。薄型の液晶表示装置などでは、筐体の前面に表示面を設け、後面に差込口を設ける構成である場合が多い。
【０００３】
図６は、従来の液晶表示装置における差込口及びその近傍の構成を示す斜視図である。図において１００は液晶表示装置の筐体の後面であり、図６には後面１００に設けられた差込口１１０及びその近傍を拡大して図示してある。液晶表示装置の後面１００には、略長方形の開口を有し、筐体の外側から内側へ凹陥した凹所１２０が形成してある。凹所１２０内には、開口の短辺に対応する一の内壁面に連ねて、略直方体状をなす接続端子収容部１３０が形成してあり、凹所１２０の内奥面に略垂直な接続端子収容部１３０の側面に、略矩形の差込口１１０が形成してある。
【０００４】
図７は、従来の液晶表示装置の凹所１２０の正面視の構成を示す模式図である。差込口１１０は、接続端子収容部１３０の側面に形成してあるため、ユーザが凹所１２０を正面から見た場合には視認することが難しい。また、差込口１１０は接続端子収容部１３０の側面の全体に亘って形成してあるわけではなく、側面の一部分に形成してあるため、この構成ではユーザが差込口１１０の位置を把握しにくく、電源コードのプラグを差込口１１０に差し込みにくいという問題がある。
【０００５】
差込口１１０の大きさは電源コードのプラグの形状により決定されるものであるため大きくすることはできないが、凹所１２０を小さく形成し、接続端子収容部１３０の側面全体に差込口１１０が形成される構成とすることによって、電源コードのプラグを差込口１１０に差し込みやすくすることは可能である。しかし、このような構成とすることによって、電源コードのプラグを差込口１１０から抜き取る場合に、ユーザが電源コードのプラグを掴むことが困難となるため、凹所１２０はある程度の大きさを有していることが好ましい。
【０００６】
特許文献１においては、電源プラグを差し込んで仮固定するための一対の差込穴の形状を、少なくとも内側の穴縁が穴側へ向けて隆起して湾曲した形状とし、これら一対の差込穴の内側に、外縁が差込穴側に向けて湾曲した内側穴部を形成し、電源プラグの一対の差込片を差込穴に差し込んだときに、湾曲した穴縁に一対の差込片の内側側面がそれぞれ弾性をもって圧接されるようにした電源プラグの固定構造が提案されている。この電源プラグの固定構造は、電源プラグを差込穴に差し込んだときに、電源プラグを強固に仮固定することができ、電源プラグが外れ難くすることができるという利点がある。
【０００７】
特許文献２においては、電源プラグの差込口が壁面より内側になるように、差込口の前に囲い構造物を設けた電源コンセントが提案されている。この壁面埋め込み型の電源コンセントは、差し込んだ電源プラグが壁面から突出することがなく、家具などを電源コンセントの前に置く場合に、家具などを壁面に密着して配置することができるという利点がある。
【特許文献１】特開２００１−６０７７７号公報
【特許文献２】実用新案登録第３１２４１３４号公報
【発明の開示】
【発明が解決しようとする課題】
【０００８】
特許文献１に記載の電源プラグの固定構造は、電気機器の筐体に差込穴及び内側穴部を形成する構成であり、電源プラグを差し込んだときに、電源プラグは筐体の外部に露出するため電気機器の美観を損なうという問題がある。また、液晶表示装置などの薄型の表示装置にこの構成を適用し、表示装置の筐体の後面に差込穴及び内側穴部を形成した場合、差込穴に差し込まれた電源プラグが表示装置の後方へ突出する態様で固定されるため、表示装置を家屋の壁面に近接させて配置することができないという問題がある。
【０００９】
図６及び図７に示したように凹所１２０内に電源コードのプラグを差し込む差込口１１０を形成する構成では、電源コードのプラグを凹所１２０内に収めることができるため、表示装置の美観を損なうことなく、また、表示装置を家屋の壁面に近接させて配置することができる。しかしながら、上述のように、差込口１１０が視認し難いため、電源コードのプラグを差し込み難いという問題がある。よって、表示装置の美観を損なうことなく、表示装置を家屋の壁面に近接させて配置することができ、電源コードのプラグの指し込み及び抜き取りをユーザが行い易い構成が望まれる。
【００１０】
特許文献２に記載の電源コンセントと同様の構成を表示装置に適用し、凹所１２０の内奥面に差込口を形成した場合、凹所１２０の凹陥具合、即ち凹所１２０の深さが電源コードのプラグの大きさに対して十分に深い構成であれば、凹所１２０内に電源コードのプラグを収容することができるため、上述の問題を解決することができる。しかし、液晶表示装置などの薄型の表示装置の場合には、筐体が薄型であるため、筐体の後面に形成できる凹所１２０の深さには限度がある。近年においては、表示装置はより薄型のものが求められているため、この構成を適用することは難しい。
【００１１】
本発明は、斯かる事情に鑑みてなされたものであって、その目的とするところは、筐体に凹陥して形成された凹所内に、凹陥方向に交差する方向に電源コードの端子部（プラグ）を差し込む差込口を形成すると共に、差込口の周囲に突起部を設ける構成とすることにより、凹所を正面から見た場合に突起部の位置で差込口の位置を認識することができ、電源コードの端子部を差込口に差し込みやすい電気機器を提供することにある。
【００１２】
また本発明の他の目的とするところは、筐体に形成した凹所が内奥面及び周面を有する場合に、筐体の外側から内側へ向けて狭まるテーパ状に周面を形成する構成とすることにより、電源コードの端子部を凹所内に収容し易い電気機器を提供することにある。
【００１３】
また本発明の他の目的とするところは、凹所の内奥面を、差込口へ向けて筐体の外側から内側へ傾斜する傾斜面とする構成とすることにより、電源コードの端子部を差込口に差し込みやすい電気機器を提供することにある。
【００１４】
また本発明の他の目的とするところは、凹所の凹陥方向に交差する方向に関して、凹所を差込口へ向けて狭まる形状とする構成とすることにより、電源コードの端子部を差込口に差し込みやすい電気機器を提供することにある。
【００１５】
また本発明の他の目的とするところは、前面に表示面が形成された筐体の後面に凹所を形成し、凹陥方向に交差する方向に電源コードの端子部を差し込む差込口を凹所内に形成すると共に、差込口の周囲に突起部を設ける構成とすることにより、凹所を正面から見た場合に突起部の位置で差込口の位置を認識することができ、電源コードの端子部を差込口に差し込みやすい表示装置を提供することにある。
【課題を解決するための手段】
【００１６】
本発明に係る電気機器は、筐体と、該筐体に凹陥して形成された凹所と、該凹所の凹陥方向に交差する方向に前記凹所内に形成してあり、電源コードの一端に設けられた端子部を差し込む差込口とを備える電気機器において、前記差込口の周囲に設けられた突起部を備えることを特徴とする。
【００１７】
本発明においては、筐体に凹陥した凹所を形成し、凹所内には凹陥方向に交差する方向に電源コードの端子部を差し込むための差込口を形成する。更に、差込口の周囲には突起部を形成する。ユーザが凹所を正面から見た場合に突起部を視認することができるため、差込口の位置を認識することができる。また、直接的に凹所をユーザが見ずに電源コードの端子部を差込口に差し込む場合には、突起部が差込口へのガイドとなる。よって、凹所内に差込口を設けた場合であっても、ユーザは電源コードの端子部を容易に差込口に差し込むことができる。
【００１８】
また、本発明に係る電気機器は、前記凹所が、内奥面と、該内奥面を囲む周面とを有し、該周面は、前記筐体の外側から内側へ向けて狭まるテーパ状にしてあることを特徴とする。
【００１９】
本発明においては、筐体に形成した凹所が内奥面及び周面を有する構成の場合に、周面を筐体の外側から内側へ向けて狭まるテーパ状に形成する。これにより、ユーザが電源コードの端子部を差込口に差し込む場合に、電源コードの端子部を凹所の周面に沿って移動させることで、凹所内に収容することができる。
【００２０】
また、本発明に係る電気機器は、前記凹所が、内奥面と、該内奥面を囲む周面とを有し、前記内奥面は、前記差込口へ向けて、前記筐体の外側から内側に傾斜する傾斜面にしてあることを特徴とする。
【００２１】
本発明においては、凹所の内奥面を、筐体の外側から内側に差込口へ向けて傾斜させる。これにより、ユーザが電源コードの端子部を差込口に差し込む場合に、電源コードの端子部を凹所の内奥面に沿って移動させることで、差込口へ電源コードの端子部を差し込むことができる。
【００２２】
また、本発明に係る電気機器は、前記凹所が、該凹所の凹陥方向に交差する方向に関して、前記差込口へ向けて狭まる形状にしてあることを特徴とする。
【００２３】
本発明においては、凹所の形状を、凹陥方向に交差する方向に関して、差込口へ向けて狭まる形状とする。これにより、ユーザが電源コードの端子部を差込口に差し込む場合に、凹所の形状によって電源コードの端子部を差込口へ案内することができる。
【００２４】
また、本発明に係る表示装置は、前面に表示面が設けられる筐体と、該筐体の後面に凹陥して形成された凹所と、該凹所の凹陥方向に交差する方向に前記凹所内に形成してあり、電源コードの一端に設けられた端子部を差し込む差込口とを備える表示装置において、前記差込口の周囲に設けられた突起部を備えることを特徴とする。
【００２５】
本発明においては、前面に表示面が形成された表示装置の筐体の後面に凹所を形成し、凹所内には凹陥方向に交差する方向に電源コードの端子部を差し込むための差込口を形成する。更に、差込口の周囲には突起部を形成する。差込口が凹所の凹陥方向に交差する方向であるため、薄型の表示装置であっても後面に形成した凹所内に電源コードの端子部を収容でき、ユーザが凹所を正面から見た場合に突起部を視認することができるため、差込口の位置を認識することができる。また、直接的に凹所をユーザが見ずに電源コードの端子部を差込口に差し込む場合には、突起部が差込口へのガイドとなる。よって、凹所内に差込口を設けた場合であっても、ユーザは電源コードの端子部を容易に差込口に差し込むことができる。
【発明の効果】
【００２６】
本発明による場合は、筐体に凹陥して形成された凹所内に、凹陥方向に交差する方向に電源コードの端子部を差し込む差込口を形成すると共に、差込口の周囲に突起部を設ける構成とすることにより、電源コードの端子部を凹所内に収容することができると共に、ユーザが凹所を正面から見た場合に突起部を視認することができるため、差込口の位置を認識することができ、また、直接的に凹所をユーザが視認することなく突起部をガイドとして電源コードの端子部を差込口に差し込むことができる。よって、電気機器の美観を損なうことなく、電源コードの端子部を差込口に差し込んで固定することができると共に、電源コードの端子部を差込口に容易に差し込むことができるため、電気機器の利便性を高めることができる。
【００２７】
また、本発明による場合は、筐体に形成した凹所が内奥面及び周面を有する場合に、筐体の外側から内側へ向けて狭まるテーパ状に周面を形成する構成とすることにより、ユーザが電源コードの端子部を差込口に差し込む場合に、電源コードの端子部を凹所の周面に沿って移動させることで凹所内に収容することができるため、電源コードの端子部を差込口に容易に差し込むことができ、電気機器の利便性をより高めることができる。
【００２８】
また、本発明による場合は、凹所の内奥面を、差込口へ向けて筐体の外側から内側へ傾斜する傾斜面とする構成とすることにより、ユーザが電源コードの端子部を差込口に差し込む場合に、電源コードの端子部を凹所の内奥面に沿って移動させることで、差込口へ電源コードの端子部を容易に差し込むことができるため、電気機器の利便性をより高めることができる。
【００２９】
また、本発明による場合は、凹所の凹陥方向に交差する方向に関して、凹所を差込口へ向けて狭まる形状とする構成とすることにより、ユーザが電源コードの端子部を差込口に差し込む場合に、凹所の形状によって電源コードの端子部を差込口へ案内することができるため、電源コードの端子部を差込口に容易に差し込むことができ、電気機器の利便性をより高めることができる。
【００３０】
また、本発明による場合は、前面に表示面が形成された筐体の後面に凹所を形成し、凹陥方向に交差する方向に電源コードの端子部を差し込む差込口を凹所内に形成すると共に、差込口の周囲に突起部を設ける構成とすることにより、電源コードの端子部を凹所内に収容することができると共に、ユーザが凹所を正面から見た場合に突起部を視認することができるため、差込口の位置を認識することができ、また、直接的に凹所をユーザが視認することなく突起部をガイドとして電源コードの端子部を差込口に差し込むことができる。よって、表示装置の美観を損なうことなく、電源コードの端子部を差込口に差し込んで固定することができ、表示装置を壁面などに近接して配置することができると共に、電源コードの端子部を差込口に容易に差し込むことができるため、表示装置の利便性を高めることができる。
【発明を実施するための最良の形態】
【００３１】
以下、本発明をその実施の形態を示す図面に基づき具体的に説明する。図１は、本発明に係る表示装置の構成を示す模式的斜視図であり、表示装置の後面側を図示したものである。図において１は表示装置の本体部分をなし、種々の電子部品を収容する筐体であり、扁平な直方体状をなしている。筐体１の前面には、図示は省略するが液晶パネルによる表示面が設けてある。即ち、図示の表示装置は、所謂薄型の液晶ディスプレイである。筐体１の後面の中央下側にはスタンド２が固定してあり、スタンド２により表示装置の本体部を床上又は机上等に支持するようにしてある。また、表示装置は図示しない壁面などに設けられたコンセントから電源コード４０（図３にて図示する）を介しての電力供給により動作するものであり、筐体１の後面には電源コード４０を装着するための電源コード装着部５が設けてある。
【００３２】
図２は、本発明に係る表示装置の電源コード装着部５の構成を示す斜視図であり、表示装置の筐体１の後面を電源コード装着部５及びその近傍について拡大して図示したものである。筐体１の後面には、略長方形の開口２１を有し、筐体１の外側から内側へ凹陥した凹所２０が形成してあり、電源コード装着部５は、凹所２０内に電源コード４０のプラグ４１（図３にて図示する）を収容するようにしてある。凹所２０は、開口２１から徐々に狭まるようにテーパ状に形成された周面２２と、開口２１より小さい略長方形の内奥面２３とに囲まれて構成されており、周面２２は開口２１から内奥面２３までの略中央位置にて傾きが段階的に変化するようにしてあり、また、内奥面２３は筐体１の後面に略並行にしてある。
【００３３】
また、電源コード装着部５は、開口２１の一短辺側の周面２２に連ねて階段状に設けられた直方体状をなす接続端子収容部３０を凹所２０内に備えている。接続端子収容部３０は、凹所２０の内奥面２３に略水平な水平面３１と、水平面３１に略垂直に設けられた垂直面３２とにより凹所２０内に階段状に設けてあり、内部には電源コード４０のプラグ４１を接続するための接続端子（図示は省略する）が収容してある。垂直面３２には、図中に破線で示す差込口１０が形成してあり、差込口１０に電源コード４０のプラグ４１を差し込んで接続端子収容部３０内の接続端子にプラグ４１を接続するようにしてある。
【００３４】
また、接続端子収容部３０の垂直面３２には、凹所２０の内奥面２３に沿う方向に、差込口１０の外縁から突出して略コ字型の突起部３３が設けてあり、突起部３３及び内奥面２３に囲まれて差込口１０に連通する空間を通して電源コード４０のプラグ４１を差込口１０に差し込むようにしてある。即ち、突起部３３は差込口１０へ電源コード４０のプラグ４１を導く案内路を構成している。
【００３５】
図３は、本発明に係る表示装置の電源コード装着部５の正面視の構成を示す模式図であり、（ａ）に電源コード４０を装着していない状態を図示し、（ｂ）に電源コード４０を装着した状態を図示してある。ユーザが電源コード装着部５を正面から見た場合、凹所２０の周面２２、内奥面２３、及び接続端子収容部３０の水平面３１を視認することができると共に、突起部３３を視認することができる。正面視では接続端子収容部３０の垂直面３２をユーザは視認することができないため、突起部３３が設けられていない場合には、垂直面３２に形成された差込口１０を視認することができず、差込口１０の位置をユーザが把握できない。しかし、本発明のように突起部３３を設けることによって、突起部３３の位置から差込口１０の位置をユーザは把握することができる。
【００３６】
以上の構成の表示装置においては、筐体１の後面に凹所２０を形成し、差込口１０に差し込んで取り付けた電源コード４０のプラグ４１を凹所２０内に収容する構成とすることにより、電源コード４０のプラグ４１が筐体１の後面から突出することがないため、表示装置の美観を損なうことがなく、また、表示装置を壁面などに近接させて配置することができる。このような構成とした場合に、差込口１０を囲む突起部３３を設けることによって、ユーザが差込口１０の位置を把握することができるため、電源コード４０のプラグ４１を容易に差込口１０に差し込むことができる。また、凹所２０の周面２２をテーパ状とすることにより、電源コード４０のプラグ４１を凹所２０内に収容し易くすることができる。
【００３７】
なお、本実施の形態においては、差込口１０を凹所２０内に設けられた接続端子収容部３０の垂直面３２に形成する構成としたが、これに限るものではなく、凹所２０の周面２２に形成する構成としてもよい。また、差込口１０の周囲を全周に亘って突起部３３及び内奥面２３にて囲むように突起部３３を設ける構成としたが、これに限るものではなく、差込口１０の周囲の一部から突起部が突出する構成であってもよい。また、突起部３３の垂直面３２からの突出量は、図示のものに限らず、少なくとも凹所２０をユーザが正面から見た場合に突起部３３を視認できる程度に突出していればよい。また、本実施の形態においては表示装置に電源コード４０を装着する場合を例に説明を行ったが、これに限るものではなく、電源コードを装着する必要があるその他の電気機器に同様の構成を適用することができる。
【００３８】
（変形例１）
図４は、本発明の変形例１に係る表示装置の電源コード装着部５ａの構成を示す斜視図であり、表示装置の筐体１の後面を電源コード装着部５ａ及びその近傍について拡大して図示したものである。図１に示した電源コード装着部５は凹所２０の内奥面２３が筐体１の後面に略平行な構成としたが、変形例１に係る電源コード装着部５ａは凹所２０ａの内奥面２３ａが筐体１の後面に対して傾斜した傾斜面にしてある。
【００３９】
凹所２０ａの内奥面２３ａは、接続端子収容部３０が設けられていない一の短辺側から他の短辺側へ向けて、筐体１の外側から内側へ傾斜させてある。即ち、凹所２０ａは、一の短辺側が底が浅く、他の短辺側が底が深くなるように形成してある。また、接続端子収容部３０の垂直面３２に形成された差込口の周囲に突設された突起部３３ａは、内奥面２３ａに沿う方向に突出してある。なお、図示は省略するが接続端子収容部３０内の接続端子もまた、内奥面２３ａに沿う方向に設けてある。これにより、ユーザは電源コード４０のプラグ４１を内奥面２３ａに沿って凹所２０ａの奥方へ移動させることで、プラグ４１を差込口に差し込むことができる。
【００４０】
（変形例２）
図５は、本発明の変形例２に係る表示装置の電源コード装着部５ｂの構成を示す斜視図であり、表示装置の筐体１の後面を電源コード装着部５ｂ及びその近傍について拡大して図示したものである。変形例２に係る表示装置の電源コード装着部５ｂは、接続端子収容部３０が設けられていない一の短辺側から他の短辺側へ向けて、即ち垂直面３２に設けられた差込口及び突起部３３へ向けて、凹所２０ｂの周面２２ｂ及び内奥面２３ｂが狭まるように形成してある。これにより、ユーザは電源コード４０のプラグ４１を差込口に差し込む場合には、周面２２ｂに沿って狭まる方へプラグ４１を移動させることによって、プラグ４１を突起部３３及び差込口まで移動させることができる。よって、電源コード４０をユーザは容易に電源コード装着部５ｂに装着することができる。
【図面の簡単な説明】
【００４１】
【図１】本発明に係る表示装置の構成を示す模式的斜視図である。
【図２】本発明に係る表示装置の電源コード装着部の構成を示す斜視図である。
【図３】本発明に係る表示装置の電源コード装着部の正面視の構成を示す模式図である。
【図４】本発明の変形例１に係る表示装置の電源コード装着部の構成を示す斜視図である。
【図５】本発明の変形例２に係る表示装置の電源コード装着部の構成を示す斜視図である。
【図６】従来の液晶表示装置における差込口及びその近傍の構成を示す斜視図である。
【図７】従来の表示装置の凹所の正面視の構成を示す模式図である。
【符号の説明】
【００４２】
１  筐体
５、５ａ、５ｂ  電源コード装着部
１０  差込口
２０、２０ａ、２０ｂ  凹所
２１  開口
２２、２２ｂ  周面
２３、２３ａ、２３ｂ  内奥面
３０、３３ａ  接続端子収容部
３１  水平面
３２  垂直面
３３  突起部
４０  電源コード
４１  プラグ（端子部）
【図１】
2008130616.tif 000003
【図２】
2008130616.tif 000004
【図３】
2008130616.tif 000005
【図４】
2008130616.tif 000006
【図５】
2008130616.tif 000007
【図６】
2008130616.tif 000008
【図７】
2008130616.tif 000009